(57)【要約】【課題】本発明は、ダンピング材の減衰能力を効果的に十分に確保しつつ、ダンピング材を全体に亘って十分に硬化させることができ、ワイヤの振動を効率よく抑制できる光ピックアップアクチュエータを得ることにある。【解決手段】光ピックアップアクチュエータ(8)は、対物レンズ(10)を有する可動部(31)と、可動部(31)を複数のワイヤ(44)を介して弾性的に移動可能に支持する固定部(30)とを備えている。固定部(30)は、ワイヤ(44)が挿通される中空筒状のワイヤ保持部(33a, 33b)を含む。ワイヤ保持部(33a, 33b)は、ワイヤ(44)が貫通する第１の開口部(36)を有するとともにダンピング材(60)が充填される第１の領域(56)と、ダンピング材(60)から外れた第２の領域(57)とを備えている。ワイヤ保持部(33a, 33b)のうち第２の領域(57)に対応する位置に第２の開口部(61)が形成されている。【選択図】図３
2008186550.tif 000002
【特許請求の範囲】
【請求項１】
記録媒体と向かい合う対物レンズを有する可動部と、
上記可動部を複数のワイヤを介して弾性的に移動可能に支持する固定部と、を具備する光ピックアップアクチュエータであって、
上記固定部は、上記ワイヤが挿通される中空筒状のワイヤ保持部を含み、このワイヤ保持部は、上記ワイヤが貫通する第１の開口部を有するとともに上記ワイヤを覆うように粘弾性を有するダンピング材が充填される第１の領域と、上記ダンピング材から外れた第２の領域と、を備え、上記ワイヤ保持部のうち上記第２の領域に対応する位置に第２の開口部を形成したことを特徴とする光ピックアップアクチュエータ。
【請求項２】
請求項１の記載において、上記第２の開口部は、上記第１の領域に充填されたダンピング材に硬化処理を施す際に使用するとともに、上記第１の開口部に対し上記第１の領域を間に挟んだ反対側に位置することを特徴とする光ピックアップアクチュエータ。
【請求項３】
請求項１の記載において、上記ダンピング材は、紫外線硬化型であるとともに上記第１の開口部から上記第１の領域に充填され、上記第１の領域に充填されたダンピング材は、上記第１および第２の開口部を通じて照射される紫外線により硬化されることを特徴とする光ピックアップアクチュエータ。
【請求項４】
請求項１又は請求項３の記載において、上記ワイヤ保持部は、上記第１の領域と上記第２の領域との境となる位置に段差部を有することを特徴とする光ピックアップアクチュエータ。
【請求項５】
請求項１の記載において、上記ワイヤ保持部は、上記固定部の外に露出する側面および上面を有し、これら側面および上面の少なくともいずれか一方に上記第２の開口部が形成されていることを特徴とする光ピックアップアクチュエータ。
【請求項６】
ワイヤホルダと、
記録媒体と向かい合う対物レンズを有するレンズホルダと、
上記ワイヤホルダと上記レンズホルダとの間に架け渡されるとともに、上記レンズホルダを上記ワイヤホルダに対し弾性的に移動可能に支持する複数のワイヤと、を具備する光ピックアップアクチュエータであって、
上記ワイヤホルダは、上記ワイヤが挿通される中空筒状のワイヤ保持部を含み、このワイヤ保持部は、上記ワイヤが貫通する第１の開口部と、上記第１の開口部から上記ワイヤを覆うように粘弾性を有するダンピング材が充填される第１の領域と、上記ダンピング材から外れた第２の領域と、上記第２の領域に開口する第２の開口部と、を備えることを特徴とする光ピックアップアクチュエータ。
【請求項７】
請求項６の記載において、上記ワイヤ保持部は、上記第１の領域と上記第２の領域との境となる位置に段差部を有することを特徴とする光ピックアップアクチュエータ。
【請求項８】
請求項６の記載において、上記第２の開口部は、上記第１の領域に充填されたダンピング材に硬化処理を施す際に使用するとともに、上記第１の開口部に対し上記第１の領域を間に挟んだ反対側に位置することを特徴とする光ピックアップアクチュエータ。
【請求項９】
記録媒体と向かい合う対物レンズと、上記対物レンズをフォーカシング方向およびトラッキング方向に移動させる駆動機構と、を有する光ピックアップアクチュエータと、
上記記録媒体に上記対物レンズを介して光を照射する光源と、を具備する光ピックアップ装置であって、
上記光ピックアップアクチュエータは、上記対物レンズを有する可動部と、上記可動部を複数のワイヤを介して弾性的に移動可能に支持する固定部と、を含み、
上記固定部は、上記ワイヤが挿通される中空筒状のワイヤ保持部を備え、このワイヤ保持部は、上記ワイヤが貫通する第１の開口部を有するとともに上記ワイヤを覆うように粘弾性を有するダンピング材が充填される第１の領域と、上記ダンピング材から外れた第２の領域と、上記第２の領域に開口する第２の開口部と、を備えることを特徴とする光ピックアップ装置。
【請求項１０】
請求項９の記載において、上記第２の開口部は、上記第１の領域に充填されたダンピング材に硬化処理を施す際に使用するとともに、上記第１の開口部に対し上記第１の領域を間に挟んだ反対側に位置することを特徴とする光ピックアップ装置。
【請求項１１】
光ディスクを回転させるモータと、
上記光ディスクに記録された情報を光学的に読み取る光ピックアップ装置と、を具備する光ディスク装置であって、
上記光ピックアップ装置は、上記光ディスクと向かい合う対物レンズを有する光ピックアップアクチュエータを含み、この光ピックアップアクチュエータは、
上記対物レンズを支持する可動部と、
上記可動部を複数のワイヤを介して弾性的に移動可能に支持する固定部と、を備え、
上記固定部は、上記ワイヤが挿通される中空筒状のワイヤ保持部を含み、このワイヤ保持部は、上記ワイヤが貫通する第１の開口部を有するとともに上記ワイヤを覆うように粘弾性を有するダンピング材が充填される第１の領域と、上記ダンピング材から外れた第２の領域と、上記第２の領域に開口する第２の開口部と、を備えることを特徴とする光ディスク装置。
【請求項１２】
請求項１１の記載において、上記第２の開口部は、上記第１の領域に充填されたダンピング材に硬化処理を施す際に使用するとともに、上記第１の開口部に対し上記第１の領域を間に挟んだ反対側に位置することを特徴とする光ディスク装置。
【発明の詳細な説明】
【技術分野】
【０００１】
本発明は、対物レンズを有する可動部を、複数のワイヤを介してフォーカシング方向およびトラッキング方向に移動可能に支持する光ピックアップアクチュエータおよびこの光ピックアップアクチュエータを搭載した光ピックアップ装置に関する。  
さらに、本発明は、光ピックアップ装置を用いて光ディスクに記録された情報を読み取る光ディスク装置に関する。
【背景技術】
【０００２】
光ディスク装置は、例えばコンパクトディスク（ＣＤ）やデジタルバーサタイルディスク（ＤＶＤ）のような光ディスクに情報を記録したり、光ディスクに記録された情報を読み取る光ピックアップ装置を搭載している。
【０００３】
光ピックアップ装置は、レーザ光を発する半導体レーザダイオードと、半導体レーザダイオードが発するレーザ光を光ディスクの記録面に集光させるとともに、光ディスクの記録面で反射した光を光検出手段に導く光ピックアップアクチュエータと、を備えている。
【０００４】
光ピックアップアクチュエータは、光ディスクの半径方向に移動可能なベースに固定される固定部と、光ディスクの記録面と向かい合う対物レンズを支持する可動部と、可動部を固定部に対し弾性的に移動可能に支持する複数のワイヤと、対物レンズをフォーカシング方向およびトラッキング方向に駆動する電磁式の駆動手段と、を有している。
【０００５】
ワイヤは、可動部を間に挟んで振り分けられるとともに、この可動部の両側で互いに間隔を存して平行に配置されている。ワイヤは、固定部と可動部との間に亘って架け渡されて、可動部を固定部に対し片持ち状態で支持している。
【０００６】
従来の光ピックアップアクチュエータによると、可動部がフォーカシング方向およびトラッキング方向に動かされた時に、ワイヤが弾性的に変形する。このワイヤが変形する際のワイヤの余分な振動を抑えるために、特許文献１に開示された光ピックアップアクチュエータでは、固定部の上面および下面にワイヤを通すＵ形の溝が形成され、この溝内にシリコンゲル等の粘弾性を有するダンピング材が充填されている。ダンピング材は、ワイヤと溝の内面との間の隙間を埋めており、これにより、ワイヤの不要な振動を抑制する減衰機能を発揮している。
【０００７】
一方、特許文献２に開示された光ピックアップアクチュエータでは、固定部にワイヤが貫通する複数の角孔が形成されているとともに、固定部の側面に角孔に開口する複数の充填口が形成されている。ワイヤの振動を抑制するダンピング材は、充填口から角孔に注入されて、角孔の内面とワイヤとの間の隙間を埋めている。
【０００８】
この充填口は、ダンピング材の充填量を一様としたり、角孔からのダンピング材の漏洩を防止するため、その開口形状が角孔の前後幅や上下幅よりも遥かに小さく形成されている。
【特許文献１】特開２００３−１５１１５７号公報
【特許文献２】特開２００５−２５１２９５号公報
【発明の開示】
【発明が解決しようとする課題】
【０００９】
特許文献１に開示された光ピックアップアクチュエータによると、ダンピング材が充填される溝は、固定部の全長に亘って固定部の上面および下面に開放している。このため、固定部に対する溝の開放範囲を広く確保でき、ダンピング材を充填する際の作業性が良好となる。
【００１０】
しかしながら、溝が固定部の上面および下面に開放しているので、この溝の開放端に対応する位置ではダンピング材が固定部の外に露出しており、このダンピング材を全周に亘って固定部で覆うことができない。このため、ダンピング材を貫通するワイヤが溝の開放端に向けて変位した時に、ワイヤを押し戻そうとする十分な抵抗力が発生せず、ダンピング材の減衰能力が不足する傾向にある。
【００１１】
よって、ワイヤの振動を効率よく抑制することができず、光ピックアップアクチュエータによる情報の読み書き性能の低下を招くといった不具合がある。
【００１２】
特許文献２に開示された光ピックアップアクチュエータによると、固定部に開けた充填口の開口形状が角孔に比べて遥かに小さいので、ダンピング材が固定部の外に露出する領域が狭まる。これにより、ダンピング材を貫通するワイヤがいずれの方向に変位したとしても、ダンピング材が十分な減衰能力を発揮し、ワイヤの振動を抑制する。
【００１３】
しかしながら、特許文献２では、ダンピング材を固定部の外に露出させる充填口が非常に小さいので、角孔に充填されたダンピング材を、例えば充填口から照射される紫外線を利用して硬化させる場合、ダンピング材に対する紫外線の照射範囲が極端に狭くなる。
【００１４】
特にダンピング材が充填される角孔は、ワイヤの軸方向に延びる細長い形状を有するので、充填口から紫外線を照射しただけでは、ダンピング材を角孔の全長に亘って均等に硬化させることができなくなる。この結果、ダンピング材の一部が未硬化のまま残ってしまい、ダンピング材の減衰性能に悪影響を及ぼす虞があり得る。
【００１５】
さらに、ダンピング材に対する紫外線の照射範囲が狭いので、ダンピング材の硬化に時間がかかり、ダンピング材を硬化させる際の作業性が悪くなるのを避けられない。
【００１６】
本発明の目的は、ダンピング材の減衰能力を十分に確保しつつ、ダンピング材を全体に亘って硬化させることができ、対物レンズを支えるワイヤの振動を効率よく抑制できる光ピックアップアクチュエータを得ることにある。
【００１７】
本発明の他の目的は、対物レンズを支えるワイヤの振動を効率よく抑制できる光ピックアップアクチュエータを搭載した光ピックアップ装置を得ることにある。
【００１８】
本発明のさらに他の目的は、ワイヤの振動を効率よく抑制できる光ピックアップアクチュエータを有する光ピックアップ装置を搭載し、情報の読み取りを安定して行える光ディスク装置を得ることにある。
【課題を解決するための手段】
【００１９】
上記目的を達成するため、本発明の一つの形態に係る光ピックアップアクチュエータは、  
記録媒体と向かい合う対物レンズを有する可動部と、上記可動部を複数のワイヤを介して弾性的に移動可能に支持する固定部と、を具備している。  
上記固定部は、上記ワイヤが挿通される中空筒状のワイヤ保持部を含み、このワイヤ保持部は、上記ワイヤが貫通する第１の開口部を有するとともに上記ワイヤを覆うように粘弾性を有するダンピング材が充填される第１の領域と、上記ダンピング材から外れた第２の領域と、を備えており、上記ワイヤ保持部のうち上記第２の領域に対応する位置に第２の開口部を形成したことを特徴としている。
【００２０】
上記目的を達成するため、本発明の一つの形態に係る光ピックアップ装置は、  
記録媒体と向かい合う対物レンズと、上記対物レンズをフォーカシング方向およびトラッキング方向に移動させる駆動機構と、を有する光ピックアップアクチュエータと、
上記記録媒体に上記対物レンズを介して光を照射する光源と、を具備している。  
上記光ピックアップアクチュエータは、上記対物レンズを有する可動部と、上記可動部を複数のワイヤを介して弾性的に移動可能に支持する固定部と、を含んでいる。上記固定部は、上記ワイヤが挿通される中空筒状のワイヤ保持部を備えており、このワイヤ保持部は、上記ワイヤが貫通する第１の開口部を有するとともに上記ワイヤを覆うように粘弾性を有するダンピング材が充填される第１の領域と、上記ダンピング材から外れた第２の領域と、上記第２の領域に開口する第２の開口部と、を備えることを特徴としている。
【００２１】
上記目的を達成するため、本発明の一つの形態に係る光ディスク装置は、  
光ディスクを回転させるモータと、上記光ディスクに記録された情報を光学的に読み取る光ピックアップ装置と、を備えており、上記光ピックアップ装置は、上記光ディスクと向かい合う対物レンズを有する光ピックアップアクチュエータを含んでいる。
【００２２】
上記光ピックアップアクチュエータは、上記対物レンズを支持する可動部と、上記可動部を複数のワイヤを介して弾性的に移動可能に支持する固定部と、を備えている。上記固定部は、上記ワイヤが挿通される中空筒状のワイヤ保持部を含み、このワイヤ保持部は、上記ワイヤが貫通する第１の開口部を有するとともに上記ワイヤを覆うように粘弾性を有するダンピング材が充填される第１の領域と、上記ダンピング材から外れた第２の領域と、上記第２の領域に開口する第２の開口部と、を備えることを特徴としている。
【発明の効果】
【００２３】
本発明によれば、ダンピング材は、中空筒状をなすワイヤ保持部のうち可動部に最も近い位置でワイヤを取り囲んで覆うので、ダンピング材のダンプ効果を最大限に発揮させることができる。このため、ワイヤが可動部に追従していずれの方向に変位したとしても、ダンピング材が十分な減衰能力を発揮する。よって、対物レンズを支えるワイヤの振動を効率よく抑制することができる。
【００２４】
しかも、ダンピング材を間に挟んだ両側に第１および第２の開口部が位置するので、これら二つの開口部を通じて例えばダンピング材に紫外線や熱を照射する硬化処理を実行することができる。したがって、ダンピング材を全体に亘って均等かつ十分に硬化させることができ、ダンピング材の減衰性能が安定するとともに、ダンピング材を硬化させる際の作業性が良好となる。
【発明を実施するための最良の形態】
【００２５】
以下本発明の第１の実施の形態を図１ないし図５に基づいて説明する。
【００２６】
図１は、光ディスク装置１の主要な構成を概略的に示している。光ディスク装置１は、記録媒体としての光ディスク２を回転させるスピンドルモータ３と、光ディスク２に対して情報を光学的に読み書きする光ピックアップ装置４とを備えている。
【００２７】
スピンドルモータ３は、スピンドルモータ制御回路５によって制御される。光ピックアップ装置４は、図示しないトラバースシャーシに支持されているとともに、スレッドモータ６によって光ディスク２の半径方向に直線的に往復移動されるようになっている。スレッドモータ６は、スレッドモータ制御回路７によって制御される。
【００２８】
光ピックアップ装置４は、光ピックアップアクチュエータ８と、半導体レーザダイオード９とを備えている。
【００２９】
光ピックアップアクチュエータ８は、光ディスク２と向かい合う対物レンズ１０を有している。対物レンズ１０は、第１の駆動コイル１１の駆動によりフォーカシング方向への移動が可能であるとともに、第２の駆動コイル１２の駆動によりトラッキング方向への移動が可能となっている。第１および第２の駆動コイル１１，１２は、駆動機構の一例であって、第１のフレキシブル配線板１３を介してプリント回路板１４に電気的に接続されている。
【００３０】
半導体レーザダイオード９は光源の一例であって、対物レンズ１０に向けてレーザ光を発する。この半導体レーザダイオード９は、第２のフレキシブル配線板１５を介してプリント回路板１４に電気的に接続されている。
【００３１】
半導体レーザダイオード９は、レーザ制御回路１６によって駆動され、記録すべき情報に応じて変調されたレーザ光がビームスプリッタ１７および対物レンズ１０を介して光ディスク２の記録面に集光される。これにより、光ディスク２に対する情報の書き込みが実行される。
【００３２】
光ディスク２からの情報の読み取りは、光ディスク２の記録面で反射された光を、対物レンズ１０、ビームスプリッタ１７を介して光電変換器１８に導くことによって実行される。光電変換器１８は、プリント回路板１４に実装されている。光電変換器１８は、光検出器で検出した光を電気信号に変換して信号処理回路１９に供給する。信号処理回路１９は、光電変換器１８から出力される信号に基づいて、情報再生用の信号を出力するとともに、フォーカシング制御用の信号およびトラッキング制御用の信号を出力する。
【００３３】
フォーカシング制御用の信号は、フォーカシング制御回路２０を介して光ピックアップアクチュエータ８の第１の駆動コイル１１に供給される。これにより、半導体レーザダイオード９から発せられたレーザ光が光ディスク２の記録面に常時ジャストフォーカスとなるように対物レンズ１０の制御がなされる。
【００３４】
トラッキング制御用の信号は、トラッキング制御回路２１を介して光ピックアップアクチュエータ８の第２の駆動コイル１２に供給される。これにより、半導体レーザダイオード９から発せられた光が光ディスク２の記録面上のトラックに追従するように対物レンズ１０の制御がなされる。
【００３５】
光ピックアップ装置４は、プリント回路板１４を介して外部と電気的に接続され、半導体レーザダイオード９の制御、第１および第２の駆動コイル１１，１２の制御および光電変換器１８で生成した信号の取り出し等がプリント回路板１４を経由して実行される。
【００３６】
さらに、光ディスク装置１は、ＣＰＵを有するコントローラ２２を含んでいる。コントローラ２２は、バス２３を介してスピンドルモータ制御回路５、スレッドモータ制御回路７、レーザ制御回路１６、信号処理回路１９、フォーカシング制御回路２０およびトラッキング制御回路２１を制御し、光ディスク装置１を総合的に制御する。
【００３７】
図２ないし図４は、上記のような光ディスク装置１に用いる光ピックアップアクチュエータ８の具体的な構成を開示している。
【００３８】
光ピックアップアクチュエータ８は、固定部としてのワイヤホルダ３０と、可動部としてのレンズホルダ３１と、を備えている。
【００３９】
ワイヤホルダ３０は、例えば透明又は非透明な合成樹脂材料により形成されて、光ピックアップ装置４の図示しないベースに接着等の手段により固定されている。ワイヤホルダ３０は、一対のワイヤ保持部３３ａ，３３ｂと、これらワイヤ保持部３３ａ，３３ｂの間を連結する連結部３４と、を備えている。
【００４０】
ワイヤ保持部３３ａ，３３ｂは、夫々ワイヤ挿通孔３５を有する中空の筒状をなしている。ワイヤ保持部３３ａ，３３ｂは、連結部３４を間に挟んで互いに平行に配置されているとともに、その一端が連結部３４の前面から突出している。ワイヤ挿通孔３５は、ワイヤ保持部３３ａ，３３ｂの中でもレンズホルダ３１に近い一端に開口する第１の開口部３６を有している。
【００４１】
ワイヤ保持部３３ａ，３３ｂの他端は、連結部３４の背面と同一面上に位置している。連結部３４の背面とワイヤ保持部３３ａ，３３ｂの他端との間に亘って第１のプリント配線板３７が接着されている。第１のプリント配線板３７は、ワイヤ挿通孔３５の第１の開口部３６とは反対側の開口端を塞いでいる。
【００４２】
レンズホルダ３１は、例えば透明又は非透明な合成樹脂材料により形成されている。レンズホルダ３１は、上記対物レンズ１０を支える保持部３９を有し、この保持部３９を間に挟んだ両側に一対の通孔４０ａ，４０ｂが形成されている。さらに、レンズホルダ３１の左右の側面に夫々第２のプリント配線板４１および第３のプリント配線板４２が接着されている。
【００４３】
図２ないし図４に示すように、ワイヤホルダ３０は、例えば六本の真っ直ぐなワイヤ４４を介してレンズホルダ３１を支持している。本実施の形態のワイヤ４４は、例えばりん青銅のような導電性および弾性を有する金属材料で形成されている。ワイヤ４４は、レンズホルダ３１を間に挟んで左右に振り分けられるとともに、レンズホルダ３１の左右両側で互いに間隔を存して平行に配置されている。
【００４４】
ワイヤ４４の一端は、ワイヤ保持部３３ａ，３３ｂの第１の開口部３６からワイヤ挿通孔３５に挿入されるとともに、第１のプリント配線板３７のパッドに半田付けされている。ワイヤ４４の他端は、第２および第３のプリント配線板４１，４２のパッドに半田付けされている。
【００４５】
そのため、ワイヤ４４は、ワイヤホルダ３０とレンズホルダ３１との間に亘って架け渡されて、それ自体の弾性によりレンズホルダ３１を中立位置に保持している。それとともに、ワイヤ４４は、第１のプリント配線板３７と第２のプリント配線板４１との間および第１のプリント配線板３７と第３のプリント配線板４２との間を電気的に接続している。
【００４６】
図３および図４に示すように、レンズホルダ３１の周囲に金属製のフレーム４５が配置されている。フレーム４５は、レンズホルダ３１を間に挟んで向かい合う一対の支持板４６ａ，４６ｂと、一方の支持板４６ａからワイヤホルダ３０に向けて延びるステー４７と、を備えている。ステー４７の先端部は、ワイヤホルダ３０の連結部３４の前面に接着等の手段により固定されている。
【００４７】
本実施の形態の場合、ステー４７の先端部の中央にねじ孔４８が形成されている。ねじ孔４８は、連結部３４に開けた貫通孔４９に合致している。貫通孔４９内に連結部３４の背後からねじ５０が挿通されている。ねじ５０は、ステー４７のねじ孔４８にねじ込まれている。このねじ込みにより、ステー４７を連結部３４に接着する接着剤が硬化するまでの期間中、フレーム４５とレンズホルダ３１との相対的な位置決めがなされている。
【００４８】
図４に最もよく示されるように、貫通孔４９は、第１のプリント配線板３７に向けて開口する大径部４９ａを有している。大径部４９ａは、ねじ５０の頭部５０ａを収容し得る大きさを有するとともに、第１のプリント配線板３７に開けたねじ挿入孔５１と合致している。
【００４９】
そのため、ねじ５０の頭部５０ａがワイヤホルダ３０の外に突出せず、ワイヤホルダ３０の見栄えが良くなるとともに、ワイヤホルダ３０のコンパクト化が図られている。
【００５０】
図３および図４に示すように、フレーム４５は、一対のヨーク５２，５３を一体に有している。ヨーク５２，５３は、レンズホルダ３１の下方から通孔４０ａ，４０ｂ内に挿入されている。ヨーク５２，５３の周囲に上記フォーカシング制御用の第１の駆動コイル１１およびトラッキング制御用の第２の駆動コイル１２が配置されている。第１および第２の駆動コイル１１，１２の端末は、第２および第３のプリント配線板４１，４２に電気的に接続されている。
【００５１】
さらに、フレーム４５の支持板４６ａ，４６ｂに夫々一対の磁石５４ａ，５４ｂが固定されている。磁石５４ａ，５４ｂは、支持板４６ａ，４６ｂの両端に位置するとともに、ヨーク５２，５３を間に挟んで向かい合っている。
【００５２】
このため、フォーカシング信号およびトラッキング信号に応じて第１および第２の駆動コイル１１，１２が励磁されると、第１および第２の駆動コイル１１，１２にフォーカシング方向およびトラッキング方向の電磁力が生じる。したがって、レンズホルダ３１が対物レンズ１０と一緒にフォーカシング方向およびトラッキング方向に変位する。
【００５３】
図４および図５に示すように、ワイヤ保持部３３ａ，３３ｂのワイヤ挿通孔３５は、第１の領域５６と第２の領域５７とを有している。第１および第２の領域５６，５７は、ワイヤ４４の軸方向に並んでいるとともに、第１の領域５６に第１の開口部３６が開口している。そのため、第１の領域５６は、第２の領域５７よりもレンズホルダ３１に近づいている。
【００５４】
第１の領域５６の幅寸法Ｌ１および高さ寸法Ｈ１は、第２の領域５７の幅寸法Ｌ２および高さ寸法Ｈ２よりも夫々大きく設定されている。このため、第１の領域５６と第２の領域５７との間の境界部分には、第１の領域５６の内側に張り出すような段差部５８が形成されている。
【００５５】
ワイヤ挿通孔３５の第１の領域５６にダンピング材６０が充填されている。ダンピング材６０は、例えば紫外線硬化型のゲル状物質であって、粘弾性を有している。ダンピング材６０は、例えばディスペンサを用いて第１の開口部３６から第１の領域５６に注入されており、第１の領域５６の内面とワイヤ４４との間の空間を隙間なく埋めている。そのため、第２の領域５７は、ダンピング材６０から外れており、単にワイヤ４４が通るだけの空間となっている。
【００５６】
第１の領域５６と第２の領域５７との境界部分に位置する段差部５８は、第１の領域５６の内側に張り出している。これにより、第１の領域５６に注入されたダンピング材６０が第１の領域５６と第２の領域５７との境界部分に達すると、ダンピング材６０が段差部５８に突き当たる。そのため、ダンピング材６０は、表面張力によって段差部５８を乗り越えることなく第１の領域５６内に止まる。
【００５７】
図２および図３に示すように、ワイヤ保持部３３ａ，３３ｂは、固定部３０の外に露出する上面および側面を有している。ワイヤ保持部３３ａ，３３ｂの上面のうち、ワイヤ挿通孔３５の第２の領域５７に対応する位置に第２の開口部６１が形成されている。第２の開口部６１は、ワイヤ４４の軸方向に延びるスリット状をなすとともに、第２の領域５７に開口している。
【００５８】
このため、第２の開口部６１は、第１の開口部３６に対し第１の領域５６を間に挟んだ反対側に位置している。言い換えると、第１の領域５６に充填されたダンピング材６０は、第１の開口部３６と第２の開口部６１との間に介在されている。
【００５９】
第１の領域５６に充填されたダンピング材６０は、紫外線を照射することで硬化処理が施される。この硬化処理は、例えば組み立てが完了した光ピックアップアクチュエータ８を紫外線を照射する炉内に収容したり、あるいは紫外線を照射する光ファイバーを第１および第２の開口部３６，６１内に挿入することで行われる。
【００６０】
このような光ピックアップアクチュエータ８において、レンズホルダ３１が対物レンズ１０と一緒にフォーカシング方向およびトラッキング方向に変位すると、ワイヤ４４がレンズホルダ３１の変位に追従して撓むように弾性変形する。レンズホルダ３１が変位する時に生じるワイヤ４４の振動は、ワイヤ保持部３３ａ，３３ｂの第１の領域５６に充填されたダンピング材６０によって減衰される。
【００６１】
本発明の第１の実施の形態によると、第１の領域５６の内側でワイヤ４４を覆うダンピング材６０は、その全周に亘って第１の領域５６の内面で取り囲まれているので、ワイヤ４４がいずれの方向に変位したとしても、ダンピング材６０が十分な減衰能力を発揮する。
【００６２】
特にダンピング材６０は、ワイヤ４４の固定端となる第１のプリント配線板３７よりもレンズホルダ３１に近い位置に保持されており、この位置ではワイヤ４４の変位量が大きくなっている。そのため、ダンピング材６０は、ワイヤ４４の変位量が大きな位置でワイヤ４４を抑え込むことになって、本来のダンプ効果を最大限に発揮することになり、対物レンズ１０を支えるワイヤ４４の振動を効率よく減衰させることができる。
【００６３】
よって、フォーカシング方向およびトラッキング方向への対物レンズ１０の移動を精度よく行うことができ、光ディスク２に対する情報の読み書きを安定して行うことができる。
【００６４】
さらに、ダンピング材６０をワイヤ４４の変位量が大きい場所に配置することで、少量のダンピング材６０でも十分な振動減衰機能を発揮し得る。そのため、ダンピング材６０の充填量を減らすことができ、コスト的な面でも好都合となる。
【００６５】
加えて、上記構成によると、ワイヤ保持部３３ａ，３３ｂのうち、ダンピング材６０から外れた第２の領域５７に対応する位置に第２の開口部６１を設けたので、ダンピング材６０は、第１の開口部３６と第２の開口部６１との間に位置している。このため、紫外線を用いて第１の領域５６に充填されたダンピング材６０を硬化させる際に、ダンピング材６０に対しワイヤ４４の軸方向に沿う両側から紫外線を照射することができる。
【００６６】
この結果、ダンピング材６０に対する紫外線の照射範囲が広がり、ダンピング材６０を全体に亘って均等に硬化させることができる。特に上記構成によると、ダンピング材６０の充填量が少なくて済むので、ダンピング材６０に未硬化の部分が残り難くなる。
【００６７】
よって、ダンピング材６０の硬化状態が安定するとともに、ダンピング材６０を硬化させる際の作業性が良好となるといった利点がある。
【００６８】
上記第１の実施の形態では、ワイヤ保持部３３ａ，３３ｂの上面に第２の開口部６１を形成したが、本発明はこれに特定されるものではない。
【００６９】
例えば図６に示す本発明の第２の実施の形態のように、ワイヤ保持部３３ａ，３３ｂの側面に第２の開口部６１を形成してもよい。この第２の実施の形態では、第２の開口部６１は、ワイヤ保持部３３ａ，３３ｂの高さ方向に延びるスリット状をなしているとともに、第１の領域５６と第２の領域５７との間の境界部分に位置している。
【００７０】
図７は、本発明の第３の実施の形態を開示している。
【００７１】
この第３の実施の形態では、ワイヤ保持部３３ａ，３３ｂの上面および側面に夫々第２の開口部７１ａ，７１ｂが形成されている。ワイヤホルダ３３ａ，３３ｂの上面に位置する第２の開口部７１ａは、ワイヤの軸方向に延びるスリット状をなしている。ワイヤホルダ３３ａ，３３ｂの側面に位置する第２の開口部７１ｂは、ワイヤ保持部３３ａ，３３ｂの高さ方向に延びるスリット状をなしているとともに、第１の領域５６と第２の領域５７との間の境界部分に位置している。
【００７２】
このような構成によると、第２の領域５７に開口する第２の開口部７１ａ，７１ｂの開口面積が倍増するので、第１の領域５６に充填されたダンピング材に対する紫外線の照射範囲が広がり、ダンピング材の硬化状態がより安定する。
【００７３】
図８は、本発明の第４の実施の形態を開示している。
【００７４】
この第４の実施の形態は、上記第３の実施の形態をさらに発展させたものであって、ワイヤホルダ３３ａ，３３ｂの上面に位置する第２の開口部７１ａと、ワイヤホルダ３３ａ，３３ｂの側面に位置する第２の開口部７１ｂとの間が連通口８１を介して互いに連通されている。連通口８１は、ワイヤホルダ３３ａ，３３ｂの上面と側面とで規定される角部に位置している。
【００７５】
このような構成によると、連通口８１の分だけ第２の領域５７に開口する第２の開口部７１ａ，７１ｂの開口面積が増加するので、第１の領域５６に充填されたダンピング材に対する紫外線の照射範囲をより広げることができる。
【００７６】
なお、ワイヤの振動を抑制するダンピング材は、紫外線硬化型に限定されるものではなく、例えば熱硬化型であってもよい。熱硬化型のダンピング材を用いる場合は、ワイヤ保持部の第１および第２の開口部に加熱された空気を供給することで、ダンピング材の硬化処理を実行する。
【００７７】
また、第１の領域と第２の領域との境界部分に位置する段差部は、第１の領域の内側に張り出す形状に特定されるものではない。例えば、上記段差部を凹みあるいは溝形状としても、ダンピング材の表面張力を利用してダンピング材を第１の領域内に止めることができる。
【図面の簡単な説明】
【００７８】
【図１】本発明の第１の実施の形態に係る光ディスク装置の構成を概略的に示すブロック図。
【図２】本発明の第１の実施の形態に係る光ピックアップアクチュエータの斜視図。
【図３】本発明の第１の実施の形態に係る光ピックアップアクチュエータをレンズホルダの方向から見た斜視図。
【図４】本発明の第１の実施の形態に係る光ピックアップアクチュエータの断面図。
【図５】本発明の第１の実施の形態において、ダンピング材が充填される第１の領域と第２の開口部を有する第２の領域との位置関係を示すワイヤホルダの断面図。
【図６】本発明の第２の実施の形態に係るワイヤホルダの斜視図。
【図７】本発明の第３の実施の形態に係るワイヤホルダの斜視図。
【図８】本発明の第４の実施の形態に係るワイヤホルダの斜視図。
【符号の説明】
【００７９】
２…記録媒体（光ディスク）、３…モータ（スピンドルモータ）、４…光ピックアップ装置、８…光ピックアップアクチュエータ、９…光源（半導体レーザダイオード）、１０…対物レンズ、１１，１２…駆動機構（第１の駆動コイル、第２の駆動コイル）、３０…固定部（ワイヤホルダ）、３１…可動部（レンズホルダ）、３３ａ，３３ｂ…ワイヤ保持部、３６…第１の開口部、４４…ワイヤ、５６…第１の領域、５７…第２の領域、６０…ダンピング材、６１，７１ａ，７１ｂ…第２の開口部。
【図１】
2008186550.tif 000003
【図２】
2008186550.tif 000004
【図３】
2008186550.tif 000005
【図４】
2008186550.tif 000006
【図５】
2008186550.tif 000007
【図６】
2008186550.tif 000008
【図７】
2008186550.tif 000009
【図８】
2008186550.tif 000010